(57)【要約】【課題】使用者の快適性を向上すること。【解決手段】熱媒加熱手段９，１０にて熱媒を加熱する加熱状態にて熱媒を熱媒循環路２を通して端末１に供給する熱媒供給運転と、熱媒加熱手段９，１０にて熱媒を加熱しない非加熱状態にて熱媒を熱媒循環路２を通して端末１に供給するエア抜き運転とを実行可能な熱源機３と、その熱源機３の運転を制御する制御手段４とが設けられ、制御手段４は、熱媒供給運転を行っていない非運転状態の経過時間が設定時間に達すると、エア抜き運転を行うように構成されている。【選択図】        図１
2004205136.tif 000002
【特許請求の範囲】
【請求項１】
熱媒加熱手段にて熱媒を加熱する加熱状態にて熱媒を熱媒循環路を通して端末に供給する熱媒供給運転と、前記熱媒加熱手段にて熱媒を加熱しない非加熱状態にて熱媒を前記熱媒循環路を通して前記端末に供給するエア抜き運転とを実行可能な熱源機と、その熱源機の運転を制御する制御手段とが設けられている熱媒供給設備であって、
前記制御手段は、前記熱媒供給運転を行っていない非運転状態の経過時間が設定時間に達すると、前記エア抜き運転を行うように構成されている熱媒供給設備。
【請求項２】
前記熱源機は、複数の端末に対して、前記熱媒供給運転および前記エア抜き運転を実行可能に構成され、
前記制御手段は、前記複数の端末のうち、前記非運転状態の経過時間が設定時間に達した端末に対して、前記エア抜き運転を行うように構成されている請求項１に記載の熱媒供給設備。
【請求項３】
前記制御手段は、前記非運転状態の経過時間が設定時間に達したときに、前記熱源機から前記端末に供給する熱媒供給温度が設定温度以下である条件下において、前記エア抜き運転を行うように構成されている請求項１または２に記載の熱媒供給設備。
【請求項４】
熱媒加熱手段にて熱媒を加熱する加熱状態にて熱媒を熱媒循環路を通して端末に供給する熱媒供給運転と、前記熱媒加熱手段にて熱媒を加熱しない非加熱状態にて熱媒を前記熱媒循環路を通して前記端末に供給するエア抜き運転とを実行可能な熱源機と、その熱源機の運転を制御する制御手段とが設けられている熱媒供給設備であって、
前記制御手段は、エア抜き運転実行用のエア抜きタイミングになったときに、前記熱源機から前記端末に供給する熱媒供給温度が設定温度以下である条件下において、前記エア抜き運転を行うように構成されている熱媒供給設備。
【請求項５】
前記エア抜きタイミングは、前記熱媒供給運転を行っている運転状態であるか前記熱媒供給運転を行っていない非運転状態であるかにかかわらず、計時される経過時間が設定時間に達するタイミングに定められている請求項４に記載の熱媒供給設備。
【請求項６】
前記エア抜きタイミングは、前記熱媒供給運転を行っていない非運転状態の経過時間が設定時間に達するタイミングに定められている請求項４に記載の熱媒供給設備。
【請求項７】
熱媒加熱手段にて熱媒を加熱する加熱状態にて熱媒を熱媒循環路を通して端末に供給する熱媒供給運転と、前記熱媒加熱手段にて熱媒を加熱しない非加熱状態にて熱媒を前記熱媒循環路を通して前記端末に供給するエア抜き運転とを実行可能な熱源機と、その熱源機の運転を制御する制御手段とが設けられている熱媒供給設備であって、
前記制御手段は、エア抜き運転実行用のエア抜きタイミングになると、前記エア抜き運転を行うように構成され、かつ、前記エア抜きタイミングよりも以前の遅延用設定時間範囲内に前記熱媒供給運転を行っているときには、前記エア抜きタイミングよりも設定時間あとの遅延用エア抜きタイミングになったときに、前記エア抜き運転を行うように構成されている熱媒供給設備。
【発明の詳細な説明】
【０００１】
【発明の属する技術分野】
本発明は、熱媒加熱手段にて熱媒を加熱する加熱状態にて熱媒を熱媒循環路を通して端末に供給する熱媒供給運転と、前記熱媒加熱手段にて熱媒を加熱しない非加熱状態にて熱媒を前記熱媒循環路を通して前記端末に供給するエア抜き運転とを実行可能な熱源機と、その熱源機の運転を制御する制御手段とが設けられている熱媒供給設備に関する。
【０００２】
【従来の技術】
上記のような熱媒供給設備は、リモコンなどからの運転要求により制御手段が熱媒供給運転を行うことによって、熱媒加熱手段にて加熱した熱媒を床暖房装置や浴室暖房乾燥装置などの端末に供給し、制御手段がエア抜き運転を行うことによって、熱媒循環経路中に入り込んだ空気を熱媒とともに、熱源機に備えられた大気開放式の膨張タンクに戻して、熱媒循環経路中に入り込んだ空気を抜くようにしているものである。
【０００３】
エア抜き運転を行う要因について説明を加えると、例えば、熱源機を１階に、端末を３階に設置して、熱源機の設置位置よりも高い位置に端末を設置した場合に、熱媒供給運転を行っていない非運転状態のときには、熱源機の設置位置よりも端末の設置位置の方が高いので、端末から熱源機への熱媒循環経路中が負圧状態となり、その負圧状態によって熱媒循環経路中に空気が入り込むことになる。
そして、非運転状態の経過時間が長くなるに連れて、熱媒循環経路中に入り込む空気の量も増えるので、熱媒循環経路中に入り込んだ空気をそのまま放置していると、熱媒を適正に循環できない循環不良が起こったり、熱源機に備えられた大気開放式の膨張タンクでの熱媒の貯留量が熱媒循環経路中に入り込んだ空気の量だけ増加し、膨張タンクから熱媒が溢れる熱媒漏れが発生することになる。
以上のことから、制御手段がエア抜き運転を行い、熱媒循環経路中に入り込んだ空気を抜くことによって、循環不良や熱媒漏れの発生を阻止するようにしている。
【０００４】
従来の熱媒供給設備では、熱源機が、複数の端末に対して、熱媒供給運転およびエア抜き運転を実行可能に構成され、制御手段が、熱媒供給運転を行っている運転状態であるか熱媒供給運転を行っていない非運転状態であるかにかかわらず、計時される経過時間が設定時間（例えば、７２０時間）に達するごとに、すべての端末に対してエア抜き運転を行うようにしていた（例えば、特許文献１参照。）。
【０００５】
【特許文献１】
特開２００２−１６２０５１号公報
【０００６】
【発明が解決しようとする課題】
上記のような熱媒供給設備では、制御手段が熱媒供給運転を行うことにより、熱媒が熱媒循環経路中を循環されるので、熱媒循環経路中に空気が入り込んでいても、その空気が熱媒とともに、熱源機に備えられた大気開放式の膨張タンクに戻され、媒循環経路中に入り込んだ空気を抜くことができることになる。
したがって、熱媒供給運転を行ってからあまり時間が経過していないときには、熱媒循環経路中に空気がほとんど入り込んでおらず、循環不良や熱媒漏れの発生を阻止するために、未だエア抜き運転を行わなくてもよいことになる。
【０００７】
しかしながら、上記従来の熱媒供給設備では、制御手段が、運転状態であるか非運転状態であるかにかかわらず、計時される経過時間が設定時間に達すると、熱媒供給運転を行ってからあまり時間が経過していなくても、エア抜き運転を行うことになるので、熱媒循環経路中に空気がほとんど入り込んでおらず、循環不良や熱媒漏れの発生を阻止するために、未だエア抜き運転を行わなくてもよいときにも、エア抜き運転を行うことになる。
したがって、未だエア抜き運転を行わなくてもよいときにも、エア抜き運転を行うことによる騒音やランニングコストなどが発生することになり、使用者に不快感を与えるものとなっていた。
【０００８】
また、上記従来の熱媒供給設備では、制御手段が、運転状態であるか非運転状態であるかにかかわらず、計時される経過時間が設定時間に達すると、すべての端末に対してエア抜き運転を行うことになるので、運転状態であるか非運転状態であるかにかかわらず、計時される経過時間が設定時間に達する直前まで、少なくともひとつの端末に対して熱媒供給運転を行っているときにも、すべての端末に対して熱媒が供給されることになる。
したがって、熱媒供給運転を終了してからエア抜き運転を行うまでの時間が短いので、熱媒供給運転の実行により熱媒加熱手段にて加熱された高温の熱媒が冷めていない状態で、その熱媒がすべての端末に供給されて、使用者が熱媒供給運転を要求していない端末にも、高温の熱媒が供給されることとなる。
【０００９】
そして、例えば、使用者が熱媒供給運転を要求していない端末に床暖房装置が含まれていると、その床暖房装置に高温の熱媒が供給されることになると、使用者が意図していない箇所で床暖房されていることとなって、この点からも、使用者に不快感を与えるものとなっていた。
【００１０】
本発明は、かかる点に着目してなされたものであり、その目的は、使用者の快適性を向上することができる熱媒供給設備を提供する点にある。
【００１１】
【課題を解決するための手段】
この目的を達成するために、請求項１に記載の発明によれば、熱媒加熱手段にて熱媒を加熱する加熱状態にて熱媒を熱媒循環路を通して端末に供給する熱媒供給運転と、前記熱媒加熱手段にて熱媒を加熱しない非加熱状態にて熱媒を前記熱媒循環路を通して前記端末に供給するエア抜き運転とを実行可能な熱源機と、その熱源機の運転を制御する制御手段とが設けられている熱媒供給設備において、
前記制御手段は、前記熱媒供給運転を行っていない非運転状態の経過時間が設定時間に達すると、前記エア抜き運転を行うように構成されている。
【００１２】
すなわち、制御手段は、非運転状態の経過時間が設定時間に達すると、エア抜き運転を行うので、制御手段は、非運転状態の経過時間が、循環不良や熱媒漏れの発生を阻止するために、エア抜き運転を行うべきときに達すると、エア抜き運転を行うことができることになる。
説明を加えると、制御手段は、熱媒供給運転を行ってから非運転状態の経過時間が短く、熱媒循環経路中に空気がほとんど入り込んでおらず、未だエア抜き運転を行わなくてもよいときには、エア抜き運転を行うことなく、非運転状態の経過時間が長くなり、媒循環経路中に入り込んだ空気の量が増えて、循環不良や熱媒漏れが発生する手前のエア抜き運転を行うべきときには、エア抜き運転を行うことができることになる。
【００１３】
したがって、制御手段は、エア抜き運転を行うべきときには、エア抜き運転を行い、未だエア抜き運転を行わなくてもよいときには、エア抜き運転の実行を阻止することができることとなって、未だエア抜き運転を行わなくてもよいときには、エア抜き運転を行うことによる騒音やランニングコストなどの発生を阻止することができることになる。
【００１４】
以上のことから、未だエア抜き運転を行わなくてもよいときには、エア抜き運転を行うことによる騒音やランニングコストなどの発生を阻止し、使用者に不快感を与えることを阻止することができることとなって、使用者の快適性を向上することができる熱媒供給設備を提供できるに至った。
【００１５】
請求項２に記載の発明によれば、前記熱源機は、複数の端末に対して、前記熱媒供給運転および前記エア抜き運転を実行可能に構成され、前記制御手段は、前記複数の端末のうち、前記非運転状態の経過時間が設定時間に達した端末に対して、前記エア抜き運転を行うように構成されている。
【００１６】
すなわち、制御手段は、複数の端末の夫々について各別に熱媒供給運転を行い、複数の端末のうち、非運転状態の経過時間が設定時間に達した端末に対して、エア抜き運転を行うことができるので、制御手段は、複数の端末の中で複数の端末の夫々について各別に非運転状態の経過時間を管理して、その非運転状態の経過時間が設定時間に達した端末に対して、エア抜き運転を行うことができることになる。
【００１７】
そして、複数の端末の中には、熱媒供給運転が定期的に行われる端末や、熱媒供給運転がほとんど行われない端末が存在するので、複数の端末の中で非運転状態の経過時間に差が生じることになり、制御手段は、複数の端末の中で生じた非運転状態の経過時間の差に応じて、複数の端末の夫々について各別にエア抜き運転を行うことになる。
したがって、複数の端末について、エア抜き運転を行うタイミングが異なることになるので、同時にエア抜き運転を行う端末の数を少数とすることができ、複数の端末の夫々について、熱媒循環経路中に入り込んだ空気を的確に抜くことができることになる。
【００１８】
説明を加えると、複数の端末のすべてに対して、同時にエア抜き運転を行うときなど、同時にエア抜き運転を行う端末の数が多数であるときには、熱源機に備える循環ポンプの能力が一定であることから、同時にエア抜き運転を行う端末の数が少数であるときに比べて、各端末に供給される熱媒の流速が低下することになる。
したがって、同時にエア抜き運転を行う端末の数が多数であるときには、熱媒循環経路中を流動する熱媒の流速が遅くなるので、熱媒循環経路中に入り込んだ空気を熱源機に備えた大気開放式の膨張タンクまで的確に戻すことができず、熱媒循環経路中に入り込んだ空気を的確に抜くことができない。
それに対して、同時にエア抜き運転を行う端末の数が少数であるときには、熱媒循環経路中を流動する熱媒の流速も速く、熱媒循環経路中に入り込んだ空気を熱源機に備えた大気開放式の膨張タンクまで的確に戻すことができ、熱媒循環経路中に入り込んだ空気を的確に抜くことができる。
以上のことから、同時にエア抜き運転を行う端末の数を少数とすることによって、複数の端末の夫々について、熱媒循環経路中に入り込んだ空気を的確に抜くことができることになる。
【００１９】
請求項３に記載の発明によれば、請求項１または２において、前記制御手段は、前記非運転状態の経過時間が設定時間に達したときに、前記熱源機から前記端末に供給する熱媒供給温度が設定温度以下である条件下において、前記エア抜き運転を行うように構成されている。
【００２０】
すなわち、制御手段は、非運転状態の経過時間が設定時間に達したときに、熱媒供給温度が設定温度以下でなければ、エア抜き運転を行わず、熱媒供給温度が設定温度以下であると、エア抜き運転を行うので、エア抜き運転を行うことによって、端末に供給される熱媒を設定温度以下とすることができることになる。
したがって、エア抜き運転を行うことによって、使用者が熱媒供給運転を要求していない端末に、高温の熱媒が供給されることを阻止して、使用者に不快感を与えることなく、使用者の快適性をより一層向上することができることになる。
【００２１】
説明を加えると、例えば、請求項２においては、制御手段が、複数の端末のうち、非運転状態の経過時間が設定時間に達した端末に対して、エア抜き運転を行うので、熱媒供給運転対象の端末に対して熱媒供給運転を行った直後に、熱媒供給運転対象外の端末において、非運転状態の経過時間が設定時間に達すると、その熱媒供給運転対象外の端末に対して、エア抜き運転を行うことになる。
この場合には、熱媒供給運転を終了してからエア抜き運転を行うまでの時間が短いので、熱媒供給運転を行うことによって熱媒加熱手段にて加熱された高温の熱媒が冷めていない状態で、その熱媒が熱媒供給運転対象外の端末に供給されることになり、使用者が熱媒供給運転を要求していない熱媒供給運転対象外の端末に、高温の熱媒が供給されることになる。
【００２２】
それに対して、制御手段は、熱媒供給運転対象外の端末において、非運転状態の経過時間が設定時間に達したときに、熱媒供給温度が設定温度以下である条件下において、エア抜き運転を行うので、上述のような場合でも、エア抜き運転を行うことによって、熱媒供給運転対象外の端末に供給される熱媒の温度は設定温度以下となり、使用者が熱媒供給運転を要求していない熱媒供給運転対象外の端末に、高温の熱媒が供給されることを阻止することができることになる。
【００２３】
請求項４に記載の発明によれば、熱媒加熱手段にて熱媒を加熱する加熱状態にて熱媒を熱媒循環路を通して端末に供給する熱媒供給運転と、前記熱媒加熱手段にて熱媒を加熱しない非加熱状態にて熱媒を前記熱媒循環路を通して前記端末に供給するエア抜き運転とを実行可能な熱源機と、その熱源機の運転を制御する制御手段とが設けられている熱媒供給設備において、
前記制御手段は、エア抜き運転実行用のエア抜きタイミングになったときに、前記熱源機から前記端末に供給する熱媒供給温度が設定温度以下である条件下において、前記エア抜き運転を行うように構成されている。
【００２４】
すなわち、制御手段は、エア抜き運転実行用のエア抜きタイミングになったときに、熱媒供給温度が設定温度以下でなければ、エア抜き運転を行わず、熱媒供給温度が設定温度以下であると、エア抜き運転を行うので、エア抜き運転を行うことによって、端末に供給される熱媒を設定温度以下とすることができることになる。
したがって、エア抜きタイミングになっても、エア抜き運転を行うことによって、端末に供給される熱媒は設定温度以下となるので、使用者が熱媒供給運転を要求していない端末に、高温の熱媒が供給されることを阻止することができることとなって、使用者の快適性を向上することができる熱媒供給設備を提供できるに至った。
【００２５】
ちなみに、端末が複数設けられ、制御手段が、複数の端末に対して、同時にエア抜き運転を行うように構成されているものにおいては、熱媒供給運転対象の端末に対して熱媒供給運転を行った直後であっても、熱媒供給運転対象外の端末に供給される熱媒の温度は設定温度以下となり、使用者が熱媒供給運転を要求していない熱媒供給運転対象外の端末に、高温の熱媒が供給されることを阻止することができるので、とくに、端末が複数のものにおいて、使用者の快適性を向上することができるものとなる。
【００２６】
請求項５に記載の発明によれば、前記エア抜きタイミングは、前記熱媒供給運転を行っている運転状態であるか前記熱媒供給運転を行っていない非運転状態であるかにかかわらず、計時される経過時間が設定時間に達するタイミングに定められている。
【００２７】
すなわち、制御手段は、熱媒供給運転を行っている運転状態であるか熱媒供給運転を行っていない非運転状態であるかにかかわらず、計時される経過時間が設定時間に達するタイミングになると、エア抜きタイミングになったと判別することになるので、単なる計時によってエア抜きタイミングになったか否かを判別することができることになる。
したがって、エア抜きタイミングになったか否かの判別を容易な構成によって行うことができることになり、構成の簡素化を図ることができることになる。
【００２８】
請求項６に記載の発明によれば、前記エア抜きタイミングは、前記熱媒供給運転を行っていない非運転状態の経過時間が設定時間に達するタイミングに定められている。
【００２９】
すなわち、制御手段は、熱媒供給運転を行っていない非運転状態の経過時間が設定時間に達するタイミングになると、エア抜きタイミングになったと判別することになるので、制御手段は、熱媒供給運転を行ってから非運転状態の経過時間が短く、熱媒循環経路中に空気がほとんど入り込んでおらず、未だエア抜き運転を行わなくてもよいタイミングでは、エア抜きタイミングとして判別することなく、非運転状態の経過時間が長くなり、媒循環経路中に入り込んだ空気の量が増えて、循環不良や熱媒漏れが発生する手前のエア抜き運転を行うべきタイミングには、エア抜きタイミングとして判別することになる。
したがって、制御手段は、エア抜き運転を行うべきタイミングをエア抜きタイミングとして的確に判別することができることとなって、エア抜き運転を的確なタイミングにて行うことができ、使用者の快適性を一層向上することができることになる。
【００３０】
請求項７に記載の発明によれば、熱媒加熱手段にて熱媒を加熱する加熱状態にて熱媒を熱媒循環路を通して端末に供給する熱媒供給運転と、前記熱媒加熱手段にて熱媒を加熱しない非加熱状態にて熱媒を前記熱媒循環路を通して前記端末に供給するエア抜き運転とを実行可能な熱源機と、その熱源機の運転を制御する制御手段とが設けられている熱媒供給設備において、
前記制御手段は、エア抜き運転実行用のエア抜きタイミングになると、前記エア抜き運転を行うように構成され、かつ、前記エア抜きタイミングよりも以前の遅延用設定時間範囲内に前記熱媒供給運転を行っているときには、前記エア抜きタイミングよりも設定時間あとの遅延用エア抜きタイミングになったときに、前記エア抜き運転を行うように構成されている。
【００３１】
すなわち、制御手段は、エア抜きタイミングよりも以前の遅延用設定時間範囲内に熱媒供給運転を行っていないときには、エア抜きタイミングになると、エア抜き運転を行い、エア抜きタイミングよりも以前の遅延用設定時間範囲内に熱媒供給運転を行っているときには、遅延用エア抜きタイミングになったときに、エア抜き運転を行うことになる。
したがって、制御手段は、遅延用設定時間範囲内に熱媒供給運転を行っているときには、熱媒供給運転を行うことによって熱媒加熱手段にて加熱された高温の熱媒が温度低下してから、エア抜き運転を行うことができ、遅延用設定時間範囲内に熱媒供給運転を行っていても、エア抜き運転を行うことによって、温度低下した熱媒を端末に供給させることができることになる。
【００３２】
以上のことから、エア抜き運転を行うことによって、使用者が熱媒供給運転を要求していない端末に、高温の熱媒が供給されることを阻止することができることとなって、使用者に不快感を与えることなく、使用者の快適性を向上することができる熱媒供給設備を提供できるに至った。
【００３３】
ちなみに、端末が複数設けられ、制御手段が、複数の端末に対して、同時にエア抜き運転を行うように構成されているものにおいては、熱媒供給運転対象の端末に対して熱媒供給運転を行った直後であっても、熱媒供給運転対象外の端末に供給される熱媒の温度は設定温度以下となり、使用者が熱媒供給運転を要求していない熱媒供給運転対象外の端末に、高温の熱媒が供給されることを阻止することができるので、とくに、端末が複数のものにおいて、使用者の快適性を向上することができるものとなる。
【００３４】
【発明の実施の形態】
本発明にかかる熱媒供給設備について図面に基づいて説明する。
〔第１実施形態〕
この熱媒供給設備は、図１に示すように、床暖房装置や浴室暖房乾燥装置などの複数の暖房用の端末１、それら複数の端末１に熱媒を熱媒循環路２を通して供給する熱源機３、その熱源機３の運転を制御する制御手段としての制御部４、各端末１に対応して設けられて制御部４と通信自在なリモコン５などを備えて構成されている。
ちなみに、この実施形態では、端末１を、第１端末１ａ、第２端末１ｂ、第３端末１ｃの３つから構成され、リモコン５も、第１端末１ａに対応する第１リモコン５ａ、第２端末１ｂに対応する第２リモコン５ｂ、第３端末１ｃに対応する第３リモコン５ｃから構成されている。
【００３５】
前記熱源機３は、熱源機内流路６の途中に、熱源機内流路６における熱媒を貯留する大気開放式の膨張タンク７、端末１に熱媒を循環供給させるための循環ポンプ８、熱源機内流路６を通流する熱媒を熱媒加熱手段としてのバーナ９の燃焼により加熱させる熱交換器１０などを設けて、バーナ９に燃焼用空気を供給するファン１１などを備えて構成されている。
そして、バーナ９に燃料ガスを供給する燃料供給路１２には、燃料ガスの供給を断続する燃料ガス開閉弁１３、燃料ガス供給量を調整する燃料ガス調整弁１４が設けられ、バーナ９に点火するイグナイタ１５およびバーナ９の着火を確認するフレームロッド１６なども設けられている。
【００３６】
前記熱源機内流路６における膨張タンク７よりも熱媒循環方向の上流側には、その熱媒の温度を検出する戻りサーミスタ１７が設けられ、熱源機内流路６における熱交換器１０よりも熱媒循環方向の下流側には、その熱媒の温度を検出する往きサーミスタ１８が設けられ、熱源機内流路６において、戻りサーミスタ１７の配設箇所よりも熱媒循環方向の上流側と往きサーミスタ１８の配設箇所よりも熱媒循環方向の下流側とがバイパス路１９にて接続されている。
【００３７】
前記熱媒循環路２は、往き側流路２ａと戻り側流路２ｂとから構成され、複数の端末１ａ〜１ｃの夫々に対して、往き側流路２ａと戻り側流路２ｂとが接続されている。
そして、熱源機３の熱源機内流路６は、その熱媒往き側が、ヘッダー２０により、複数の往き側流路１ａに分岐接続され、その熱媒戻し側が、ヘッダー２０により、複数の戻り側流路２ｂに合流接続され、複数の往き側流路１ａの夫々には、熱動弁２１が設けられている。
前記熱源機３は、複数の熱動弁２１を各別に開閉することにより、複数の端末１ａ〜１ｃへ各別に熱媒を供給できるように構成されている。
【００３８】
前記熱源機３は、バーナ９の燃焼により熱媒を加熱する加熱状態にて熱媒を熱媒循環路２を通して端末１に供給する熱媒供給運転と、バーナ９を燃焼させずに熱媒を加熱しない非加熱状態にて熱媒を熱媒循環路２を通して端末１に熱媒を供給するエア抜き運転とを実行可能に構成されている。
【００３９】
前記熱媒供給運転について説明すると、まず、ファン１１を作動させて、燃料ガス開閉弁１３および燃料ガス調整弁１４を開弁させてバーナ９の燃焼を開始するとともに、循環ポンプ８を作動させて、熱源機３の運転を開始し、バーナ９の燃焼により加熱した熱媒を、熱媒供給運転の対象となっている端末１に対して供給するように、熱動弁２１の開閉を制御するようにしている。
そして、熱媒供給運転を終了するときには、燃料ガス開閉弁１３および燃料ガス調整弁１４を閉弁させてバーナ９の燃焼を停止したのち、ファン１１の作動を停止させるとともに、すべての熱動弁２１を閉弁させ、循環ポンプ８の作動を停止させて、熱源機３の運転を停止するようにしている。
【００４０】
前記エア抜き運転について説明すると、循環ポンプ８のみを作動させて、バーナ９を燃焼させずに、熱源機３の運転を開始し、バーナ９を燃焼させずに加熱していない熱媒を、エア抜き運転の対象となっている端末１に対して供給するように、熱動弁２１の開閉を制御するようにしている。
そして、循環ポンプ８を作動させてからエア抜き運転用設定時間（例えば、５〜１０分）が経過すると、すべての熱動弁２１を閉弁させ、循環ポンプ８の作動を停止させて、熱源機３の運転を停止して、エア抜き運転を終了するようにしている。
【００４１】
前記制御部４と複数の端末１ａ〜１ｃに対応して設けられた各リモコン５ａ〜５ｃとは、端末１の運転開始や運転停止などの制御情報などを通信自在に構成され、制御部４は、複数の端末１ａ〜１ｃに対して、熱媒供給運転およびエア抜き運転を各別に行う状態で、熱源機３の運転を制御するように構成されている。
【００４２】
説明を加えると、制御部４は、リモコン５から端末１の運転開始が指令されると、熱源機３の運転を開始させて、そのリモコン５に対応する端末１に対して熱媒供給運転を行い、あらたに他のリモコン５から端末１の運転開始が指令されると、そのリモコン５に対応する端末１に対しても熱媒供給運転を行うように構成されている。
そして、制御部４は、端末１の運転開始を指令したリモコン５のうち、運転停止を指令していないリモコン５があるときには、熱源機３の運転を継続させたまま、そのリモコン５に対応する端末１に対して熱媒供給運転を行い、端末１の運転開始を指令したリモコン５のすべてから端末１の運転停止が指令されると、熱源機３の運転を停止させるように構成されている。
【００４３】
また、制御部４は、複数の端末１ａ〜１ｃの夫々に対応するタイマー２２ａ〜２２ｃを備えて、複数の端末１ａ〜１ｃについて、熱媒供給運転を行っていない非運転状態の経過時間を各別に管理するように構成されている。
そして、制御部４は、複数の端末１ａ〜１ｃのうち、非運転状態の経過時間が設定時間（例えば、７２０時間）に達した端末１に対して、熱源機３からその端末１に供給する熱媒供給温度が設定温度以下である条件下において、エア抜き運転を行うように構成されている。
【００４４】
説明を加えると、制御部４は、常時、第１タイマー２２ａを計時作動させており、第１端末１ａに対して熱媒供給運転を行っていると、第１タイマー２２ａをリセットし、第１端末１ａに対して熱媒供給運転を行っていない非運転状態の経過時間を計測するようにしている。
また、制御部４は、第１タイマー２２ａと同様に、常時、第２タイマー２２ａおよび第３タイマー２２ｃを計時作動させており、第２端末１ｂに対して熱媒供給運転を行っていると、第２タイマー２２ｂをリセットし、第３端末１ｃに対して熱媒供給運転を行っていると、第３タイマー２２ｃをリセットし、第２端末１ｂおよび第３端末１ｃに対して熱媒供給運転を行っていない非運転状態の経過時間を計測するようにしている。
【００４５】
そして、制御部４は、第１タイマー２２ａの計測時間が設定時間（例えば、７２０時間）に達したときに、往きサーミスタ１８による検出温度が設定温度以下であると、第１端末１ａに対して、エア抜き運転を行うようにしている。
また、制御部４は、第２タイマー２２ｂの計測時間が設定時間（例えば、７２０時間）に達したときに、往きサーミスタ１８による検出温度が設定温度以下であると、第２端末１ｂに対して、エア抜き運転を行い、第３タイマー２２ｃの計測時間が設定時間（例えば、７２０時間）に達したときに、往きサーミスタ１８による検出温度が設定温度以下であると、第３端末１ｃに対して、エア抜き運転を行うようにしている。
【００４６】
前記制御部４は、複数の端末１ａ〜１ｃのうち、いずれかの端末１について、非運転状態の経過時間が設定時間（例えば、７２０時間）に達したときに、他の端末１に対して熱媒供給運転を行っていると、その熱媒供給運転が終了したのち、熱媒供給温度が設定温度以下である条件下において、エア抜き運転を行うように構成されている。
また、制御部４は、非運転状態の経過時間が設定時間（例えば、７２０時間）に達するタイミングが、複数の端末１ａ〜１ｃの夫々で異なるタイミングになるように、初期設定において、タイマー２２ａ〜２２ｃの計時作動を開始するタイミングが設定時間（例えば、１０分）ごとずれるように設定されている。
【００４７】
前記制御部４のエア抜き運転についての制御動作を、図２のフローチャートに基づいて説明を加える。
前記制御部４は、初期設定に基づいてタイマー２２ａ〜２２ｃの計時作動を開始し、常時、タイマー２２ａ〜２２ｃの計時作動を行っており、第１端末１ａに対して熱媒供給運転を行っていると、第１タイマー２２ａをリセットし（ステップ１，２）、第２端末１ｂに対して熱媒供給運転を行っていると、第２タイマー２２ｂをリセットし（ステップ３，４）、第３端末１ｃに対して熱媒供給運転を行っていると、第３タイマー２２ｃをリセットする（ステップ５，６）。
【００４８】
第１タイマー２２ａの計測時間Ｔ１が設定時間Ｔｎに達したときに、往きサーミスタ１８の検出温度Ｑが設定温度Ｑｎ以下であると、第１端末１ａに対してエア抜き運転を行い、第１タイマー２２ａをリセットする（ステップ７〜１０）。
【００４９】
第２タイマー２２ｂの計測時間Ｔ２が設定時間Ｔｎに達したときに、往きサーミスタ１８の検出温度Ｑが設定温度Ｑｎ以下であると、第２端末１ｂに対してエア抜き運転を行い、第２タイマー２２ｂをリセットする（ステップ１１〜１４）。
【００５０】
第３タイマー２２ｃの計測時間Ｔ３が設定時間Ｔｎに達したときに、往きサーミスタ１８の検出温度Ｑが設定温度Ｑｎ以下であると、第３端末１ｃに対してエア抜き運転を行い、第３タイマー２２ｃをリセットする（ステップ１５〜１８）。
【００５１】
〔第２実施形態〕
この第２実施形態は、上記第１実施形態におけるエア抜き運転についての別実施形態であり、以下、エア抜き運転について説明を加える。
ちなみに、その他の構成については、上記第１実施形態と同様であるので、同符号を記すなどにより、その詳細な説明は省略する。
【００５２】
前記制御部４は、複数の端末１ａ〜１ｃのうち、非運転状態の経過時間が設定時間（例えば、７２０時間）に達した端末１があると、複数の端末１ａ〜１ｃのすべてに対して、エア抜き運転を行うように構成されている。
説明を加えると、熱源機３は、複数の端末１ａ〜１ｃに対して、熱媒供給運転およびエア抜き運転を実行可能に構成されている。
そして、制御部４は、タイマー２２ａ〜２２ｃにより、複数の端末１ａ〜１ｃの夫々について、熱媒供給運転を行っていない非運転状態の経過時間を各別に管理して、第１タイマー２２ａの計測時間、第２タイマー２２ｂの計測時間、第３タイマー２２ｃの計測時間のいずれかが設定時間（例えば、７２０時間）に達したときに、第１端末１ａ、第２端末１ｂ、および、第３端末１ｃのすべてに対して、エア抜き運転を行うようにしている。
【００５３】
ちなみに、この第２実施形態では、初期設定において、タイマー２２ａ〜２２ｃの計時作動を開始するタイミングが同じタイミングに設定されている。
【００５４】
前記制御部４のエア抜き運転についての制御動作を、図３のフローチャートに基づいて説明を加える。
前記制御部４は、常時、タイマー２２ａ〜２２ｃの計時作動を行っており、第１端末１ａに対して熱媒供給運転を行っていると、第１タイマー２２ａをリセットし（ステップ２１，２２）、第２端末１ｂに対して熱媒供給運転を行っていると、第２タイマー２２ｂをリセットし（ステップ２３，２４）、第３端末１ｃに対して熱媒供給運転を行っていると、第３タイマー２２ｃをリセットする（ステップ２５，２６）。
【００５５】
第１タイマー２２ａの計測時間Ｔ１、第２タイマー２２ｂの計測時間Ｔ２、第３タイマー２２ｃの計測時間Ｔ３のいずれかが、設定時間Ｔｎに達したときに、第１端末１ａ、第２端末１ｂ、および、第３端末１ｃのすべての端末１に対して、エア抜き運転を行い、第１タイマー２２ａ、第２タイマー２２ｂ、および、第３タイマー２２ｃのすべてのタイマー２２をリセットする（ステップ２７〜２９）。
【００５６】
〔第３実施形態〕
この第３実施形態は、上記第１実施形態におけるエア抜き運転についての別実施形態を示すものであり、以下、エア抜き運転について説明を加える。
ちなみに、その他の構成については、上記第１実施形態と同様であるので、同符号を記すなどにより、その詳細な説明は省略する。
【００５７】
前記制御部４は、エア抜き運転実行用のエア抜きタイミングになったときに、熱媒供給温度が設定温度以下である条件下において、複数の端末１ａ〜１ｃのすべてに対して、エア抜き運転を行うように構成されている。
そして、エア抜きタイミングは、熱媒供給運転を行っていない非運転状態の経過時間が設定時間に達するタイミングに定められている。
【００５８】
説明を加えると、熱源機３は、複数の端末１ａ〜１ｃに対して、熱媒供給運転およびエア抜き運転を実行可能に構成され、制御部４は、タイマー２２ａ〜２２ｃにより、複数の端末１ａ〜１ｃの夫々について、熱媒供給運転を行っていない非運転状態の経過時間を各別に管理するようにしている。
そして、制御部４は、第１タイマー２２ａの計測時間、第２タイマー２２ｂの計測時間、第３タイマー２２ｃの計測時間のいずれかが設定時間（例えば、７２０時間）に達したときに、往きサーミスタ１８による検出温度が設定温度以下であると、第１端末１ａ、第２端末１ｂ、および、第３端末１ｃのすべてに対して、エア抜き運転を行うようにしている。
【００５９】
前記制御部４のエア抜き運転についての制御動作を、図４のフローチャートに基づいて説明を加える。
前記制御部４は、常時、タイマー２２ａ〜２２ｃの計時作動を行っており、第１端末１ａに対して熱媒供給運転を行っていると、第１タイマー２２ａをリセットし（ステップ３１，３２）、第２端末１ｂに対して熱媒供給運転を行っていると、第２タイマー２２ｂをリセットし（ステップ３３，３４）、第３端末１ｃに対して熱媒供給運転を行っていると、第３タイマー２２ｃをリセットする（ステップ３５，３６）。
【００６０】
第１タイマー２２ａの計測時間Ｔ１、第２タイマー２２ｂの計測時間Ｔ２、第３タイマー２２ｃの計測時間Ｔ３のいずれかが、設定時間Ｔｎに達したときに、往きサーミスタ１８による検出温度Ｑが設定温度Ｑｎ以下であると、第１端末１ａ、第２端末１ｂ、および、第３端末１ｃのすべての端末１に対して、エア抜き運転を行い、第１タイマー２２ａ、第２タイマー２２ｂ、および、第３タイマー２２ｃのすべてのタイマー２２をリセットする（ステップ３７〜４０）。
【００６１】
〔第４実施形態〕
この第４実施形態は、上記第１実施形態における熱源機３およびエア抜き運転についての別実施形態を示すものであり、以下、熱源機３およびエア抜き運転について説明を加える。
ちなみに、その他の構成については、上記第１実施形態と同様であるので、同符号を記すなどにより、その詳細な説明は省略する。
【００６２】
前記熱源機３は、図５に示すように、熱源機内流路６のうち、熱交換器１０の配設箇所よりも下流側が２つの流路に分岐され、その一方に、追焚用開閉弁２３、液々熱交換式の追焚用熱交換器２４が設けられている。
浴槽Ｐに接続された風呂循環路２５には、風呂循環ポンプ２６が設けられ、この風呂循環ポンプ２６を作動させることにより、浴槽Ｐ内の湯水を風呂循環路２５を通して浴槽Ｐと追焚用熱交換器２４との間で循環させるように構成されている。
【００６３】
そして、熱源機３は、バーナ９を燃焼させた状態で、追焚用開閉弁２３を開弁させるとともに、風呂循環ポンプ２６を作動させて、追焚用熱交換器２４において、熱交換器１０にて加熱された熱媒から、風呂循環路２５を流動する浴槽Ｐ内の湯水に対して放熱することによって、浴槽Ｐ内の湯水を加熱する追焚運転を実行可能に構成されている。
ちなみに、追焚運転の開始や停止については、図外のリモコンにより指令され、制御部４は、図外のリモコンの指令に基づいて、追焚運転を行うように構成されている。
【００６４】
また、熱源機３は、ひとつの端末１に対して、熱媒供給運転およびエア抜き運転を実行可能に構成され、制御部４は、エア抜き運転実行用のエア抜きタイミングになったときに、熱源機３からその端末１に供給する熱媒供給温度が設定温度以下である条件下において、エア抜き運転を行うように構成されている。
そして、エア抜きタイミングは、熱媒供給運転を行っていない非運転状態の経過時間が設定時間に達するタイミングに定められている。
【００６５】
説明を加えると、制御部４は、常時、タイマー２２を計時作動させており、端末１に対して熱媒供給運転を行っていると、タイマー２２をリセットし、端末１に対して熱媒供給運転を行っていない非運転状態の経過時間を計測するようにしている。
そして、制御部４は、タイマー２２の計測時間が設定時間（例えば、７２０時間）に達したときに、往きサーミスタ１８による検出温度が設定温度以下であると、端末１ａに対して、エア抜き運転を行うようにしている。
【００６６】
このようにして、制御部４が、エア抜きタイミングになっても、往きサーミスタ１８による検出温度が設定温度以下でなければ、エア抜き運転を行わず、往きサーミスタ１８による検出温度が設定温度以下であると、エア抜き運転を行うことにより、エア抜き運転を行うことによって、端末１に供給される熱媒を設定温度以下とすることができることになる。
したがって、追焚運転を行った直後など、熱源機内流路６の熱媒が高温であるときに、エア抜きタイミングになっても、その高温の熱媒が端末１に供給されることなく、使用者が熱媒供給運転を要求していない端末に、高温の熱媒が供給されることを阻止することができることになる。
【００６７】
前記制御部４のエア抜き運転についての制御動作を、図６のフローチャートに基づいて説明を加える。
前記制御部４は、常時、タイマー２２の計時作動を行っており、端末１に対して熱媒供給運転を行っていると、タイマー２２をリセットする（ステップ４１，４２）
そして、タイマー２２の計測時間Ｔが設定時間Ｔｎに達したときに、往きサーミスタ１８による検出温度Ｑが設定温度Ｑｎ以下であると、端末１に対して、エア抜き運転を行い、タイマー２２をリセットする（ステップ４３〜４６）。
【００６８】
〔第５実施形態〕
この第５実施形態は、上記第１実施形態のエア抜き運転についての別実施形態を示すものであり、以下、エア抜き運転について説明を加える。
ちなみに、その他の構成については、上記第１実施形態と同様であるので、同符号を記すなどにより、その詳細な説明は省略する。
【００６９】
前記制御部４は、エア抜き運転実行用のエア抜きタイミングになると、エア抜き運転を行うように構成され、かつ、エア抜きタイミングよりも以前の遅延用設定範囲内に熱媒供給運転を行っているときには、エア抜きタイミングよりも設定時間あとの遅延用エア抜きタイミングになったときに、エア抜き運転を行うように構成されている。
そして、エア抜きタイミングは、熱媒供給運転を行っている運転状態であるか熱媒供給運転を行っていない非運転状態であるかにかかわらず、計時される経過時間が設定時間に達するタイミングに定められている。
【００７０】
説明を加えると、熱源機３は、複数の端末１ａ〜１ｃに対して、熱媒供給運転およびエア抜き運転を実行可能に構成されている。
前記制御部４は、ひとつのタイマー２２を備え、常時、タイマー２２を計時作動して、運転状態であるか非運転状態であるかにかかわらず、計時される経過時間を計測しており、そのタイマー２２の計測時間が設定時間（例えば、７２０時間）に達すると、複数の端末１ａ〜１ｃのすべての端末１に対して、エア抜き運転を行うように構成されている。
そして、制御部４は、タイマー２２の計測時間が設定時間（例えば、７２０時間）に達したエア抜きタイミングよりも以前の遅延用設定範囲（例えば、４時間）内に熱媒供給運転を行っているときには、エア抜きタイミングよりも設定時間（例えば、１時間）あとの遅延用エア抜きタイミングになったときに、複数の端末１ａ〜１ｃのすべての端末１に対して、エア抜き運転を行うように構成されている。
【００７１】
ちなみに、制御部４は、複数の端末１ａ〜１ｃのうち、少なくともひとつの端末１に対して熱媒供給運転を行った最新のタイミングを記憶しており、その最新のタイミングがエア抜きタイミングよりも以前の遅延用設定範囲（例えば、４時間）内にあるときには、エア抜きタイミングよりも以前の遅延用設定範囲（例えば、４時間）内に熱媒供給運転を行っていると判別するように構成されている。
【００７２】
前記制御部４のエア抜き運転についての制御動作を、図７のフローチャートに基づいて説明を加える。
前記制御部４は、常時、タイマー２２の計時作動を行っており、タイマー２２の計測時間Ｔが設定時間Ｔｎに達したときに、タイマー２２の計測時間Ｔが設定時間Ｔｎに達したエア抜きタイミングよりも以前の遅延用設定範囲内に熱媒供給運転を行っていなければ（ステップ５１，５２）、複数の端末１ａ〜１ｃのすべての端末１に対して、エア抜き運転を行い、タイマー２２をリセットする（ステップ５３，５４）。
また、タイマー２２の計測時間Ｔが設定時間Ｔｎに達したエア抜きタイミングよりも以前の遅延用設定範囲内に熱媒供給運転を行っているときには（ステップ５２）、エア抜きタイミングよりも設定時間あとの遅延用エア抜きタイミングになると（ステップ５５）、複数の端末１ａ〜１ｃのすべての端末１に対して、エア抜き運転を行い、タイマー２２をリセットする（ステップ５３，５４）。
【００７３】
〔別実施形態〕
（１）上記第１実施形態では、制御部４が、複数の端末１ａ〜１ｃのうち、非運転状態の経過時間が設定時間に達した端末１に対して、熱源機３からその端末１に供給する熱媒供給温度が設定温度以下である条件下において、エア抜き運転を行うようにしているが、制御部４を、複数の端末１ａ〜１ｃのうち、非運転状態の経過時間が設定時間に達した端末１に対して、エア抜き運転を行うように構成して実施することも可能である。
【００７４】
（２）上記第２および第５実施形態では、熱源機３が、複数の端末１ａ〜１ｃに対して、熱媒供給運転およびエア抜き運転を実行可能に構成されているが、例えば、図５に示すように、熱源機３を、ひとつの端末１に対して、熱媒供給運転およびエア抜き運転を実行可能に構成して実施することも可能である。
【００７５】
（３）上記第３および第４実施形態では、エア抜きタイミングが、熱媒供給運転を行っていない非運転状態の経過時間が設定時間に達するタイミングに定められているが、エア抜きタイミングを、熱媒供給運転を行っている運転状態であるか熱媒供給運転を行っていない非運転状態であるかにかかわらず、計時される経過時間が設定時間に達するタイミングに定めて実施することも可能である。
【００７６】
（４）上記第１、第２、第３、第５実施形態では、端末１として、第１端末１ａ、第２端末１ｂ、第３端末１ｃの３つの端末を設けるようにしているが、端末の数については、２つや４つ以上など、適宜変更が可能である。
【００７７】
（５）上記第１、第２、第３、第５実施形態では、熱源機３が、熱媒供給運転およびエア抜き運転を実行可能に構成されているが、例えば、図５に示すように、熱源機３を、熱媒供給運転およびエア抜き運転に加えて、追焚運転をも実行可能に構成して実施することも可能である。
【００７８】
（６）上記第１〜第５実施形態では、熱媒加熱手段として、バーナ９の燃焼により熱媒を加熱する構成を例示したが、電気ヒータなどその他の加熱手段を用いて熱媒を加熱することも可能であり、熱媒加熱手段の構成については適宜変更が可能である。
【図面の簡単な説明】
【図１】熱媒供給設備の概略構成図
【図２】第１実施形態における制御動作を示すフローチャート
【図３】第２実施形態における制御動作を示すフローチャート
【図４】第３実施形態における制御動作を示すフローチャート
【図５】第４実施形態における熱媒供給設備の概略構成図
【図６】第４実施形態における制御動作を示すフローチャート
【図７】第５実施形態における制御動作を示すフローチャート
【符号の説明】
１              端末
２              熱媒循環路
３              熱源機
４              制御手段
９，１０        熱媒加熱手段
【図１】
2004205136.tif 000003
【図２】
2004205136.tif 000004
【図３】
2004205136.tif 000005
【図４】
2004205136.tif 000006
【図５】
2004205136.tif 000007
【図６】
2004205136.tif 000008
【図７】
2004205136.tif 000009